【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
記録媒体上の単位領域に対する記録ヘッドの複数回の走査によって前記単位領域に画像の記録を行うことが可能な記録装置と、該記録装置に画像データを供給するためのデータ供給装置とを有する記録システムであって、
前記データ供給装置は、
前記単位領域に対する複数回の走査に対応したマスクパターンによって前記単位領域に記録すべき画像データを間引くことにより、前記複数回の走査に対応した間引き画像データを生成する生成手段と、
前記生成手段により生成された間引き画像データを、該間引き画像データの生成に用いたマスクパターンに基づいて圧縮する圧縮手段と、
前記圧縮手段により圧縮された圧縮画像データと前記間引き画像データの圧縮に用いたマスクパターンに関する情報とを前記記録装置に転送する転送手段とを有し、
前記記録装置は、
前記転送手段により転送された画像圧縮データとマスクパターンに関する情報とを受信する受信手段と、
前記受信手段により受信された圧縮画像データとマスクパターンに関する情報とに基づいて、前記間引き画像データを復元する復元手段とを有することを特徴とする記録システム。
【請求項２】
記録媒体上の複数の単位領域夫々に対する記録ヘッドの複数回の走査によって前記複数の単位領域に画像の記録を行うことが可能な記録装置と、該記録装置に画像データを供給するためのデータ供給装置とを有する記録システムであって、
前記データ供給装置は、
前記単位領域に対する複数回の走査に対応したマスクパターンによって前記単位領域に記録すべき画像データを間引くことにより、前記複数回の走査に対応した間引き画像データを生成する生成手段と、
前記生成手段により生成された間引き画像データを、該間引き画像データの生成に用いたマスクパターンに基づいて圧縮する圧縮手段と、
前記圧縮手段により圧縮された圧縮画像データと前記間引き画像データの圧縮に用いたマスクパターンに関する情報とを前記記録装置に転送する転送手段とを有し、
前記記録装置は、
前記転送手段により転送された画像圧縮データとマスクパターンに関する情報とを受信する受信手段と、
前記受信手段により受信された圧縮画像データとマスクパターンに関する情報とに基づいて、前記間引き画像データを復元する復元手段と、
前記復元手段によって復元された間引き画像データに基づいて前記記録ヘッドにより前記単位領域に記録が行われるように、前記記録ヘッドを制御する制御手段とを有し、
前記複数の単位領域のうちの第１の単位領域に関する前記複数回の走査に対応したマスクパターンは、前記複数の単位領域のうちの第２の単位領域に対する前記複数回の走査に対応したマスクパターンとは異なることを特徴とする記録システム。
【請求項３】
前記データ供給装置は、
多値画像データを量子化する量子化手段と、
前記量子化手段により量子化された量子化画像データを、前記複数回の走査のうちの何番目の走査で記録するのかを指定する指定手段とをさらに有し
前記生成手段は、前記複数回の走査のうちのＮ番目の走査に対応した間引き画像データを生成する場合、前記指定手段により指定されたＮ番目の量子化画像データを前記Ｎ番目の走査に対応したマスクパターンによって間引くことにより前記Ｎ番目の走査に対応した間引き画像データを生成することを特徴とする請求項１又は２に記載の記録システム。
【請求項４】
前記圧縮手段は、前記マスクパターンのサイズと同じサイズの前記間引き画像データを圧縮単位とし、前記マスクパターンでビットがオンとなっている位置に対応した前記間引き画像データの値を抽出し、該抽出された値からなるデータを前記圧縮画像データとすることを特徴とする請求項１乃至３のいずれか１項に記載の記録システム。
【請求項５】
前記復元手段は、前記圧縮画像データの生成に適用されたマスクパターンでビットがオフとなっている位置に対応する位置にビットオフを示す値をセットし、該ビットオフを示す値がセットされない位置に前記圧縮画像データの値をセットすることにより、前記圧縮画像データから前記間引き画像データを復元することを特徴とする請求項１乃至４のいずれか１項に記載の記録システム。
【請求項６】
記録媒体上の単位領域に対する記録ヘッドの複数回の走査によって前記単位領域に画像の記録を行うことが可能な記録装置であって、
前記単位領域に記録すべき画像データを前記複数回の走査に対応したマスクパターンによって間引くことにより、前記複数回の走査に対応した間引き画像データを生成し、当該間引き画像データを該間引き画像データの生成に用いたマスクパターンに基づいて圧縮することにより圧縮画像データを生成するデータ供給装置に接続可能な接続手段と、
前記接続手段を介して、前記データ供給装置から、前記圧縮画像データと前記圧縮画像データの生成に用いられたマスクパターンに関する情報とを受信する受信手段と、
前記受信手段により受信された圧縮画像データとマスクパターンに関する情報とに基づいて、前記間引き画像データを復元する復元手段と、
前記復元手段によって復元された間引き画像データに基づいて前記記録ヘッドにより前記単位領域に記録が行われるように、前記記録ヘッドを制御する制御手段とを有することを特徴とする記録装置。
【請求項７】
記録媒体上の複数の単位領域夫々に対する記録ヘッドの複数回の走査によって前記複数の単位領域に画像の記録を行うことが可能な記録装置であって、
前記単位領域に記録すべき画像データを前記複数回の走査に対応したマスクパターンによって間引くことにより、前記複数回の走査に対応した間引き画像データを生成し、当該間引き画像データを該間引き画像データの生成に用いたマスクパターンに基づいて圧縮することにより圧縮画像データを生成するデータ供給装置に接続可能な接続手段と、
前記接続手段を介して、前記データ供給装置から、前記圧縮画像データと前記圧縮画像データの生成に用いられたマスクパターンに関する情報とを受信する受信手段と、
前記受信手段により受信された圧縮画像データとマスクパターンに関する情報とに基づいて、前記間引き画像データを復元する復元手段と、
前記復元手段により復元された間引き画像データに基づいて前記記録ヘッドにより前記単位領域に記録が行われるように、前記記録ヘッドを制御する制御手段とを有し、
前記複数の単位領域のうちの第１の単位領域に対する前記複数回の走査に対応したマスクパターンは、前記複数の単位領域のうちの第２の単位領域に対する前記複数回の走査に対応したマスクパターンとは異なることを特徴とする記録装置。
【請求項８】
記録媒体上の単位領域に対する記録ヘッドの複数回の走査によって前記単位領域に画像の記録を行うことが可能な記録装置に画像データを供給するデータ供給装置であって、
前記単位領域に対する複数回の走査に対応したマスクパターンによって前記単位領域に記録すべき画像データを間引くことにより、前記複数回の走査に対応した間引き画像データを生成する生成手段と、
前記生成手段によって生成された間引き画像データを、該間引き画像データの生成に用いたマスクパターンに基づいて圧縮する圧縮手段と、
前記圧縮手段によって圧縮された圧縮画像データと前記間引き画像データの圧縮に用いたマスクパターンに関する情報とを前記記録装置に転送する転送手段とを有することを特徴とするデータ供給装置。
【請求項９】
記録媒体上の複数の単位領域夫々に対する記録ヘッドの複数回の走査によって前記複数の単位領域に画像の記録を行うことが可能な記録装置に画像データを供給するデータ供給装置であって、
前記単位領域に対する複数回の走査に対応したマスクパターンによって前記単位領域に記録すべき画像データを間引くことにより、前記複数回の走査に対応した間引き画像データを生成する生成手段と、
前記生成手段により生成された間引き画像データを、該間引き画像データの生成に用いたマスクパターンに基づいて圧縮する圧縮手段と、
前記圧縮手段により圧縮された圧縮画像データと前記間引き画像データの圧縮に用いたマスクパターンに関する情報とを前記記録装置に転送する転送手段とを有し、
前記複数の単位領域のうちの第１の単位領域に関する前記複数回の走査に対応したマスクパターンは、前記複数の単位領域のうちの第２の単位領域に対する前記複数回の走査に対応したマスクパターンとは異なることを特徴とするデータ供給装置。
【手続補正２】
【補正対象書類名】明細書
【補正対象項目名】発明の名称
【補正方法】変更
【補正の内容】
【発明の名称】記録装置、データ供給装置、及び記録システム
【手続補正３】
【補正対象書類名】明細書
【補正対象項目名】０００１
【補正方法】変更
【補正の内容】
【０００１】
本発明は記録装置、データ供給装置、及び記録システムに関する。特に、例えば、インクジェット方式によりインクを吐出して記録を行なう記録ヘッドを備えた記録装置と、これを接続するデータ供給装置と、これらの装置からなる記録システムとに関する。
【手続補正４】
【補正対象書類名】明細書
【補正対象項目名】００２９
【補正方法】変更
【補正の内容】
【００２９】
本発明は上記従来例に鑑みてなされたもので、データ供給装置から記録装置へのデータ転送量を減らすことができ、しかも濃度むらを抑制し、装置コスト低減が記録装置、データ供給装置、及び記録システムを提供することを目的とする。
【手続補正５】
【補正対象書類名】明細書
【補正対象項目名】００３０
【補正方法】変更
【補正の内容】
【００３０】
上記目的を達成するために本発明の記録システムは、以下のような構成からなる。
【手続補正６】
【補正対象書類名】明細書
【補正対象項目名】００３１
【補正方法】変更
【補正の内容】
【００３１】
即ち、記録媒体上の単位領域に対する記録ヘッドの複数回の走査によって前記単位領域に画像の記録を行うことが可能な記録装置と、該記録装置に画像データを供給するためのデータ供給装置とを有する記録システムであって、前記データ供給装置は、前記単位領域に対する複数回の走査に対応したマスクパターンによって前記単位領域に記録すべき画像データを間引くことにより、前記複数回の走査に対応した間引き画像データを生成する生成手段と、前記生成手段により生成された間引き画像データを、該間引き画像データの生成に用いたマスクパターンに基づいて圧縮する圧縮手段と、前記圧縮手段により圧縮された圧縮画像データと前記間引き画像データの圧縮に用いたマスクパターンに関する情報とを前記記録装置に転送する転送手段とを有し、前記記録装置は、前記転送手段により転送された画像圧縮データとマスクパターンに関する情報とを受信する受信手段と、前記受信手段により受信された圧縮画像データとマスクパターンに関する情報とに基づいて、前記間引き画像データを復元する復元手段とを有することを特徴とする。
さらに、上記システムを構成するデータ供給装置、或は、記録装置を発明とすることもできる。
【手続補正７】
【補正対象書類名】明細書
【補正対象項目名】００３２
【補正方法】変更
【補正の内容】
【００３２】
また他の発明によれば、記録媒体上の複数の単位領域夫々に対する記録ヘッドの複数回の走査によって前記複数の単位領域に画像の記録を行うことが可能な記録装置と、該記録装置に画像データを供給するためのデータ供給装置とを有する記録システムであって、前記データ供給装置は、前記単位領域に対する複数回の走査に対応したマスクパターンによって前記単位領域に記録すべき画像データを間引くことにより、前記複数回の走査に対応した間引き画像データを生成する生成手段と、前記生成手段により生成された間引き画像データを、該間引き画像データの生成に用いたマスクパターンに基づいて圧縮する圧縮手段と、前記圧縮手段により圧縮された圧縮画像データと前記間引き画像データの圧縮に用いたマスクパターンに関する情報とを前記記録装置に転送する転送手段とを有し、前記記録装置は、前記転送手段により転送された画像圧縮データとマスクパターンに関する情報とを受信する受信手段と、前記受信手段により受信された圧縮画像データとマスクパターンに関する情報とに基づいて、前記間引き画像データを復元する復元手段と、前記復元手段によって復元された間引き画像データに基づいて前記記録ヘッドにより前記単位領域に記録が行われるように、前記記録ヘッドを制御する制御手段とを有し、前記複数の単位領域のうちの第１の単位領域に関する前記複数回の走査に対応したマスクパターンは、前記複数の単位領域のうちの第２の単位領域に対する前記複数回の走査に対応したマスクパターンとは異なることを特徴とする。
さらに、上記システムを構成するデータ供給装置、或は、記録装置を発明とすることもできる。